(57)【特許請求の範囲】
【請求項１】
第１の画像を構成する光を第１の範囲に射出し、第２の画像を構成する光を、前記第１の範囲とは異なる範囲を含む第２の範囲に射出する電気光学装置であって、
第１の基板と、
前記第１の基板に対向して配置された第２の基板と、
前記第１の基板と前記第２の基板との間に配置され、前記第１の画像を構成する光を前記第２の基板側に射出する複数の第１の画素と、
前記第１の基板と前記第２の基板との間に配置され、前記第２の画像を構成する光を前記第２の基板側に射出する複数の第２の画素と、
前記第２の基板と、前記第１の画素及び前記第２の画素との間に配置された、赤系の第１の色要素、緑系の第１の色要素、青系の第１の色要素を含む第１のカラーフィルタと、
前記第１のカラーフィルタと前記第１の基板との間に配置された、赤系の第２の色要素、緑系の第２の色要素、青系の第２の色要素を含む第２のカラーフィルタと、
前記第１のカラーフィルタと前記第２のカラーフィルタとの間に配置された、透光性の樹脂と、
前記第１の画素及び前記第２の画素の前記第１の基板側に配置された第１の偏光板と、
前記第１の画素及び前記第２の画素の前記第２の基板側に配置された第２の偏光板と、
前記第１の画素及び前記第２の画素に設けられた一対の電極と、
前記一対の電極の間に生じる電界によって駆動される液晶と、
を備え、
前記第１のカラーフィルタ、前記透光性の樹脂、前記第２のカラーフィルタが前記第２の基板に積層され、
前記第１のカラーフィルタは、前記透光性の樹脂、前記第２のカラーフィルタ、および前記第２のカラーフィルタの前記第１の基板側に形成された前記電極と配向膜を介して前記液晶に臨み、
前記複数の第１の画素及び前記複数の第２の画素は、それぞれ、
前記赤系の第２の色要素を介して赤系の色の光を射出する赤系画素と、
前記緑系の第２の色要素を介して緑系の色の光を射出する緑系画素と、
前記青系の第２の色要素を介して青系の色の光を射出する青系画素と、
を有しており、
前記赤系の第１の色要素は、前記赤系の色の前記第１の画素から前記第１の範囲に射出される光と、前記赤系の色の前記第２の画素から前記第２の範囲に射出される光とがいずれも通過する領域の少なくとも一部に配置され、
前記緑系の第１の色要素は、前記緑系の色の前記第１の画素から前記第１の範囲に射出される光と、前記緑系の色の前記第２の画素から前記第２の範囲に射出される光とがいずれも通過する領域の少なくとも一部に配置され、
前記青系の第１の色要素は、前記青系の色の前記第１の画素から前記第１の範囲に射出される光と、前記青系の色の前記第２の画素から前記第２の範囲に射出される光とがいずれも通過する領域の少なくとも一部に配置されている電気光学装置。
【請求項２】
前記第１の画素と前記第２の画素とが第１の方向に沿って交互に配列された画素行を有し、
前記赤系画素、前記緑系画素、前記青系画素は、前記第１の方向に沿ってこの順に繰り返し配列され、
前記青系の第１の色要素、前記緑系の第１の色要素、前記赤系の第１の色要素は、前記第１の方向に沿ってこの順に繰り返し配列され、かつ前記画素行方向の配置ピッチが前記画素の前記画素行方向の配置ピッチの略２倍であり、
正面視で一の前記画素に重なる領域に配置される前記第１の色要素は、前記一の画素とは対応する色が異なる前記第１の色要素である請求項１に記載の電気光学装置。
【請求項３】
前記透光性の樹脂は、ラミネートフィルムである請求項１または２に記載の電気光学装置。
【請求項４】
前記透光性の樹脂は、厚さ５０ｎｍから１００ｎｍである請求項１から３のいずれか一項に記載の電気光学装置。
【請求項５】
前記第１の画素と前記第２の画素とが、前記画素行と交差する第２の方向に交互に配列されてなる画素列を複数有する請求項２に記載の電気光学装置。
【請求項６】
第１の画像を構成する光を第１の範囲に射出し、第２の画像を構成する光を、前記第１の範囲とは異なる範囲を含む第２の範囲に射出する電気光学装置であって、
第１の基板と、
前記第１の基板に対向して配置された第２の基板と、
前記第１の基板と前記第２の基板との間に配置され、前記第１の画像を構成する光を前記第２の基板側に射出する複数の第１の画素と、
前記第１の基板と前記第２の基板との間に配置され、前記第２の画像を構成する光を前記第２の基板側に射出する複数の第２の画素と、
前記第２の基板と、前記第１の画素及び前記第２の画素との間に配置された、第１の色に対応する第１の色要素、第２の色に対応する第１の色要素、第３の色に対応する第１の色要素を含む第１のカラーフィルタと、
前記第１のカラーフィルタと前記第１の基板との間に配置された、前記第１の色に対応する第２の色要素、前記第２の色に対応する第２の色要素、前記第３の色に対応する第２の色要素を含む第２のカラーフィルタと、
前記第１のカラーフィルタと前記第２のカラーフィルタとの間に配置された、透光性の樹脂と、
前記第１の画素及び前記第２の画素の前記第１の基板側に配置された第１の偏光板と、
前記第１の画素及び前記第２の画素の前記第２の基板側に配置された第２の偏光板と、
前記第１の画素及び前記第２の画素に設けられた一対の電極と、
前記一対の電極の間に生じる電界によって駆動される液晶と、
を備え、
前記第１のカラーフィルタ、前記透光性の樹脂、前記第２のカラーフィルタが前記第２の基板に積層され、
前記第１のカラーフィルタは、前記透光性の樹脂、前記第２のカラーフィルタ、および前記第２のカラーフィルタの前記第１の基板側に形成された前記電極と配向膜を介して前記液晶に臨み、
前記複数の第１の画素及び前記複数の第２の画素は、それぞれ、
前記第１の色に対応する第２の色要素を介して前記第１の色に対応する光を射出する第１色画素と、
前記第２の色に対応する第２の色要素を介して前記第２の色に対応する光を射出する第２色画素と、
前記第３の色に対応する第２の色要素を介して前記第３の色に対応する光を射出する第３色画素と、
を有しており、
前記第１の色に対応する前記第１の色要素は、前記第１の画素のうち前記第１色画素から前記第１の範囲に射出される光と、前記第２の画素のうち前記第１色画素から前記第２の範囲に射出される光とがいずれも通過する領域の少なくとも一部に配置され、
前記第２の色に対応する前記第１の色要素は、前記第１の画素のうち前記第２色画素から前記第１の範囲に射出される光と、前記第２の画素のうち前記第２色画素から前記第２の範囲に射出される光とがいずれも通過する領域の少なくとも一部に配置され、
前記第３の色に対応する前記第１の色要素は、前記第１の画素のうち前記第３色画素から前記第１の範囲に射出される光と、前記第２の画素のうち前記第３色画素から前記第２の範囲に射出される光とがいずれも通過する領域の少なくとも一部に配置されている電気光学装置。
【請求項７】
請求項１から６のいずれか一項に記載の電気光学装置を表示部に備える電子機器。
【発明の詳細な説明】
【技術分野】
【０００１】
本技術に係る一態様は、電気光学装置及び電子機器に関する。
【背景技術】
【０００２】
複数の画素を有する表示パネルの表面に、開口部を有する遮光性の光学素子を一定の距離をおいて重ねることで、複数の異なる画像（例えば第１の画像と第２の画像）を互いに異なる範囲に指向性表示できることが知られている（特許文献１）。これは、光学素子により、視角に応じて異なる画素がマスク（遮光）されること、換言すれば、視角に応じて異なる画素からの光が開口部を通して視認されることを利用したものである。
【０００３】
こうした指向性表示が可能な電気光学装置によれば、例えば、第１の画像と第２の画像とを異なる人物に同時に視認させることができる。あるいは、第１の画像を構成する光が左目に、第２の画像を構成する光が右目に入射するような構成とすれば、立体表示を行うことができる。このように指向性表示の方向を変更するためには、画素と光学素子との間隔を調整すればよい。
【０００４】
ここで、表示パネルとしては、照明装置からの光を変調することによって表示を行う液晶パネルや、有機ＥＬ（Electro Luminescence）パネル等の発光素子を備えた自発光型表示パネルを用いることができる。また、遮光性の光学素子の配置としては、ガラス基板等に上記遮光性の光学素子を形成してマスク基板とし、このマスク基板を表示パネルに重ねる構成が一般的である。
【０００５】
【特許文献１】特許第３０９６６１３号公報
【発明の開示】
【発明が解決しようとする課題】
【０００６】
しかしながら、このような構成の電気光学装置は、表示パネルの他にマスク基板を有することから、厚さが大きくなるとともに、製造工程が複雑になるという課題がある。また、上記構成において画素と光学素子との間隔を調整するためには、表示パネルを構成する基板の厚さを変えなければならないという課題がある。
【課題を解決するための手段】
【０００７】
本技術は、上記課題の少なくとも一部を解決するためになされたものであり、以下の形態又は適用例として実現することが可能である。
【０００８】
［適用例１］第１の画像を構成する光を第１の範囲に射出し、第２の画像を構成する光を、前記第１の範囲とは異なる範囲を含む第２の範囲に射出する電気光学装置であって、第１の基板と、前記第１の基板に対向して配置された第２の基板と、前記第１の基板と前記第２の基板との間に配置され、前記第１の画像を構成する光を前記第２の基板側に射出する複数の第１の画素と、前記第１の基板と前記第２の基板との間に配置され、前記第２の画像を構成する光を前記第２の基板側に射出する複数の第２の画素と、前記第２の基板と、前記第１の画素及び前記第２の画素との間に配置された、赤系の第１の色要素、緑系の第１の色要素、青系の第１の色要素を含む第１のカラーフィルタと、を備え、前記複数の第１の画素及び前記複数の第２の画素は、それぞれ、赤系の色の光を射出する赤系画素と、緑系の色の光を射出する緑系画素と、青系の色の光を射出する青系画素と、を有しており、前記赤系の第１の色要素は、赤系の色の前記第１の画素から前記第１の範囲に射出される光と、赤系の色の前記第２の画素から前記第２の範囲に射出される光とがいずれも通過する領域の少なくとも一部に配置され、前記緑系の第１の色要素は、緑系の色の前記第１の画素から前記第１の範囲に射出される光と、緑系の色の前記第２の画素から前記第２の範囲に射出される光とがいずれも通過する領域の少なくとも一部に配置され、前記青系の第１の色要素は、青系の色の前記第１の画素から前記第１の範囲に射出される光と、青系の色の前記第２の画素から前記第２の範囲に射出される光とがいずれも通過する領域の少なくとも一部に配置されている電気光学装置。
【０００９】
上記構成において、赤系の第１の画素又は第２の画素から射出され、緑系又は青系の第１の色要素に入射した光は、当該色要素によって吸収されるので表示に寄与しない。一方、赤系の色の第１の画素から第１の範囲に射出された光のうち、赤系の第１の色要素に入射した光は、当該色要素を透過して第１の画像を構成する。また、赤系の色の第２の画素から第２の範囲に射出された光のうち、赤系の第１の色要素に入射した光は、当該色要素を透過して第２の画像を構成する。このように、赤系画素については、第１のカラーフィルタに含まれる第１の色要素の一部（緑系、青系の第１の色要素）が、赤系画素からの光に指向性を与えるマスクとなることにより、指向性表示が行われる。青系画素、緑系画素についても同様の原理により指向性表示が行われる。以上から、上記構成の電気光学装置は、赤系、緑系、青系の第１の画素からの光により構成される第１の画像を第１の範囲に表示することができ、赤系、緑系、青系の第２の画素からの光により構成される第２の画像を第２の範囲に表示することができる。
【００１０】
ここで、上記のように第１のカラーフィルタが指向性表示のためのマスクとして機能するため、上記構成の電気光学装置は、指向性表示を行うために別の遮光性の光学素子（マスク）を必要としない。このため、より少ない構成要素により指向性表示が可能な電気光学装置を構成することができる。また、第１のカラーフィルタは、第１の基板と第２の基板との間に形成されているため、別途、マスクが形成された基板を第１の基板の外側に貼り合わせる必要がない。これにより、電気光学装置の厚さを低減させることができる。また、第１の画像及び第２の画像を構成する光は、いずれも第１のカラーフィルタの第１の色要素を透過しているため、画素から直接取り出される光と比較して色純度が高い。このため、上記構成の電気光学装置は、色再現性の高い、高品位な表示を行うことができる。
【００１１】
［適用例２］上記電気光学装置であって、前記第１の画素と前記第２の画素とが第１の方向に沿って交互に配列された画素行を有し、前記赤系画素、前記緑系画素、前記青系画素は、前記第１の方向に沿ってこの順に繰り返し配列され、前記青系の第１の色要素、前記緑系の第１の色要素、前記赤系の第１の色要素は、前記第１の方向に沿ってこの順に繰り返し配列され、かつ前記画素行方向の配置ピッチが前記画素の前記画素行方向の配置ピッチの略２倍であり、正面視で一の前記画素に重なる領域に配置される前記第１の色要素は、前記一の画素とは対応する色が異なる前記第１の色要素である電気光学装置。
【００１２】
このような構成によれば、正面視で赤系の第１の色要素に対して画素行方向に隣り合う領域の一方には赤系の第１の画素が配置され、他方には赤系の第２の画素が配置される。よって、この赤系の第１の画素から当該赤系の第１の色要素に向かって斜めに（第１の範囲に）射出された光が、赤系の第１の色要素を透過して第１の画像を構成する。また、上記赤系の第２の画素から当該赤系の第１の色要素に向かって斜めに（第２の範囲に）射出された光が、赤系の第１の色要素を透過して第２の画像を構成する。ここで、赤系の第１の色要素の配置領域外には、緑系又は青系の第１の色要素が配置されているため、赤系画素から射出され、赤系の第１の色要素の配置領域外に入射した光は、緑系又は青系の第１の色要素によってほとんど吸収されて表示に寄与しない。上記赤系の第１の画素、第２の画素から赤系の第１の色要素に向かう斜めの方向はそれぞれ異なるため、第１の範囲と第２の範囲とは互いに異なる範囲を含むこととなり、指向性表示が行われる。
【００１３】
上記は、青系画素からの光、緑系画素からの光についても同様である。よって、上記構成の電気光学装置は、赤系、緑系、青系の第１の画素からの光により構成される第１の画像を第１の範囲に表示することができ、赤系、緑系、青系の第２の画素からの光により構成される第２の画像を第２の範囲に表示することができる。
【００１４】
本明細書において正面視とは、画素が配列された面の法線方向から見ること、又は当該面の法線上の一点から見ることをいう。
【００１５】
［適用例３］上記電気光学装置であって、前記第１のカラーフィルタと前記第１の基板との間に、赤系の第２の色要素、緑系の第２の色要素、青系の第２の色要素を含む第２のカラーフィルタを備え、前記赤系画素は、前記赤系の第２の色要素を含み、前記緑系画素は、前記緑系の第２の色要素を含み、前記青系画素は、前記青系の第２の色要素を含む電気光学装置。
【００１６】
このような構成によれば、各画素は、第２の色要素を介して光を射出することとなり、第２の色要素により射出光を赤系の色、緑系の色、又は青系の色とすることができる。ここで、第１のカラーフィルタ及び第２のカラーフィルタは、いずれも第１の基板と第２の基板との間に配置されているため、第１のカラーフィルタと第２のカラーフィルタとの間隔を容易に小さくすることができる。すなわち、画素からの光に指向性を与えるマスクとして機能する第１のカラーフィルタと、画素との間隔を容易に小さくすることができる。これにより、第１の画像を構成する光が射出される第１の範囲と、第２の画像を構成する光が射出される第２の範囲とを大きく異ならせることができる。
【００１７】
［適用例４］上記電気光学装置であって、前記第１のカラーフィルタと前記第２のカラーフィルタとの間には、透光性の樹脂が配置されている電気光学装置。
【００１８】
このような構成によれば、第１のカラーフィルタと第２のカラーフィルタとの間隔を容易に所望の値とすることができる。
【００１９】
［適用例５］上記電気光学装置であって、前記第１の画素及び前記第２の画素の第１の基板側に配置された第１の偏光板と、前記第１の画素及び前記第２の画素の第２の基板側に配置された第２の偏光板と、前記第１の画素及び前記第２の画素に設けられた一対の電極と、前記一対の電極の間に生じる電界によって駆動される液晶と、を備える電気光学装置。
【００２０】
このような構成によれば、第１の画素及び第２の画素は、第１の偏光板から入射した光の偏光状態を、液晶によって変換して射出する。第１の画素及び第２の画素から射出されたこの光は、偏光状態に応じた透過率で第２の偏光板を透過し、第１の画像又は第２の画像を構成することができる。
【００２１】
［適用例６］上記電気光学装置であって、前記第１の画素及び前記第２の画素に設けられた一対の電極と、前記一対の電極の間に配置された有機発光層と、を備える電気光学装置。
【００２２】
このような構成によれば、第１の画素及び第２の画素は、有機発光層において発光した光を射出することができる。
【００２３】
［適用例７］上記電気光学装置であって、前記第１の画素と前記第２の画素とが、前記画素行と交差する第２の方向に交互に配列されてなる画素列を複数有する電気光学装置。
【００２４】
このような構成によれば、第１の画素と第２の画素とが市松模様をなすように配置される。このとき、第１のカラーフィルタにおける第１の色要素の配置はいわゆるデルタ配列となる。こうした配置によれば、第１の画像及び第２の画像の解像度の低下を抑制することができる。
【００２５】
［適用例８］第１の画像を構成する光を第１の範囲に射出し、第２の画像を構成する光を、前記第１の範囲とは異なる範囲を含む第２の範囲に射出する電気光学装置であって、第１の基板と、前記第１の基板に対向して配置された第２の基板と、前記第１の基板と前記第２の基板との間に配置され、前記第１の画像を構成する光を前記第２の基板側に射出する複数の第１の画素と、前記第１の基板と前記第２の基板との間に配置され、前記第２の画像を構成する光を前記第２の基板側に射出する複数の第２の画素と、前記第２の基板と、前記第１の画素及び前記第２の画素との間に配置された、第１の色に対応する第１の色要素、第２の色に対応する第１の色要素、第３の色に対応する第１の色要素を含む第１のカラーフィルタと、を備え、前記複数の第１の画素及び前記複数の第２の画素は、それぞれ、前記第１の色に対応する光を射出する第１色画素と、前記第２の色に対応する光を射出する第２色画素と、前記第３の色に対応する光を射出する第３色画素と、を有しており、前記第１の色に対応する前記第１の色要素は、前記第１の画素のうち前記第１色画素から前記第１の範囲に射出される光と、前記第２の画素のうち前記第１色画素から前記第２の範囲に射出される光とがいずれも通過する領域の少なくとも一部に配置され、前記第２の色に対応する前記第１の色要素は、前記第１の画素のうち前記第２色画素から前記第１の範囲に射出される光と、前記第２の画素のうち前記第２色画素から前記第２の範囲に射出される光とがいずれも通過する領域の少なくとも一部に配置され、前記第３の色に対応する前記第１の色要素は、前記第１の画素のうち前記第３色画素から前記第１の範囲に射出される光と、前記第２の画素のうち前記第３色画素から前記第２の範囲に射出される光とがいずれも通過する領域の少なくとも一部に配置されている電気光学装置。
【００２６】
このような構成によれば、３色以上の光から構成される画像を指向性表示可能な電気光学装置を、より少ない構成要素により構成することができる。
【００２７】
［適用例９］上記電気光学装置を表示部に備える電子機器。
【００２８】
このような構成によれば、簡素な構成で指向性表示が可能な電子機器が得られる。
【発明を実施するための最良の形態】
【００２９】
以下、図面を参照し、電気光学装置及び電子機器の実施形態について説明する。なお、以下に示す各図においては、各構成要素を図面上で認識され得る程度の大きさとするため、各構成要素の寸法や比率を実際のものとは適宜に異ならせてある。
【００３０】
（第１の実施形態）
図１は、第１の実施形態に係る電気光学装置としての液晶装置１の構成を示す図であり、（ａ）は斜視図、（ｂ）は（ａ）中のＡ−Ａ線における断面図である。液晶装置１は、対向して配置された素子基板１０及びカラーフィルタ基板３０を有している。以下では、素子基板１０に対してカラーフィルタ基板３０側の方向を「観察側」とも呼び、カラーフィルタ基板３０とは反対側の方向を「背面側」とも呼ぶ。素子基板１０の背面側には、第１の偏光板としての偏光板５１が貼り付けられている。カラーフィルタ基板３０の観察側には、第２の偏光板としての偏光板５３が貼り付けられている。素子基板１０は、カラーフィルタ基板３０より大きく、一部がカラーフィルタ基板３０に対して張り出している。素子基板１０のうち、カラーフィルタ基板３０に対して張り出している部分の観察側の面には、液晶装置１を動作させるための駆動信号等を供給するドライバＩＣ５５が実装されている。液晶装置１は、図示しないバックライト等からの光を変調して観察側に透過させることによって、表示領域９において表示を行う。
【００３１】
図１（ｂ）に示すように、カラーフィルタ基板３０は、カラーフィルタ基板３０の輪郭形状に略一致する枠状に配置されたシール剤２９を介して、素子基板１０の観察側に貼り合わされている。素子基板１０、カラーフィルタ基板３０、シール剤２９によって囲まれた空間には、液晶５０が封入されている。
【００３２】
素子基板１０は、第１の基板としてのガラス基板１１を基体として構成されている。ガラス基板１１の観察側には、回路素子層１２等が形成されている。
【００３３】
カラーフィルタ基板３０は、第２の基板としてのガラス基板３１を基体として構成されている。ガラス基板３１の背面側には、第１のカラーフィルタとしてのカラーフィルタ３３、透光性を有する樹脂からなる樹脂層３５、第２のカラーフィルタとしてのカラーフィルタ４３がこの順に積層されている。
【００３４】
図２は、表示領域９における液晶装置１の平面図であり、（ａ）は、カラーフィルタ４３の構成を抜き出して示す平面図、（ｂ）は、カラーフィルタ３３の構成を抜き出して示す平面図である。この図は、液晶装置１を観察側から、より詳しくはカラーフィルタ基板３０の法線方向から見た図である。図２（ａ），（ｂ）は、観察側から見て重なる同一の領域を切り出して示したものであり、液晶装置１は、図２（ａ）のカラーフィルタ４３と、図２（ｂ）のカラーフィルタ３３とが重ねられた構成を有している。
【００３５】
図２（ａ）に示すように、カラーフィルタ４３は、複数の行及び複数の列にわたってマトリクス状に配置された矩形の色要素４２ｒ，４２ｇ，４２ｂ（以下では、対応する色を区別しない場合には単に「色要素４２」とも呼ぶ）を有している。色要素４２ｒ，４２ｇ，４２ｂは、それぞれ赤系の色の光、緑系の色の光、青系の色の光を透過し、その他の色の光を吸収する部材である。ここで、赤系の色、緑系の色、青系の色は、例えば赤、緑、青である。色要素４２ｒは、赤系の第２の色要素に対応し、色要素４２ｇは、緑系の第２の色要素に対応し、色要素４２ｂは、青系の第２の色要素に対応する。色要素４２ｒ，４２ｇ，４２ｂを区画する格子状の領域には、黒色の樹脂からなる遮光層４６が配置されている。カラーフィルタ４３は、色要素４２ｒ，４２ｇ，４２ｂ、遮光層４６を含んで構成される。
【００３６】
また、図２（ａ）には、液晶装置１に含まれる画素の平面的な配置も示されている。液晶装置１は、複数の行及び複数の列にわたってマトリクス状に配置された矩形の画素４ｒ，４ｇ，４ｂ（以下では、対応する色を区別しない場合には単に「画素４」とも呼ぶ）を有している。画素４ｒ，４ｇ，４ｂには、それぞれ色要素４２ｒ，４２ｇ，４２ｂが配置されている。画素４ｒ，４ｇ，４ｂは、これらの色要素４２を介して光を射出するため、それぞれ赤系の色の光、緑系の色の光、青系の色の光を観察側に射出することができる。画素４ｒ，４ｇ，４ｂは、それぞれ赤系画素、緑系画素、青系画素に対応する。
【００３７】
画素４ｒ，４ｇ，４ｂは、第１の方向に沿ってこの順に繰り返し配置されて、画素行５を構成している。したがって、色要素４２ｒ，４２ｇ，４２ｂも、画素行５の延在方向に沿ってこの順に繰り返し配置されている。画素４は、画素行５に交差する第２の方向については、同一の色に対応する画素４が一列にストライプ状に並ぶように配置されて、画素列６を構成している。したがって、色要素４２ｒ，４２ｇ，４２ｂも、同一の色に対応する色要素４２が画素列６の延在方向にストライプ状に並ぶように配置されている。本実施形態では、画素列６の延在方向は、画素行５の延在方向に対して直交している。本明細書では、画素行５の延在方向をＸ軸、画素列６の延在方向をＹ軸と定義する。また、ＸＹ平面の法線方向をＺ軸と定義する。上記第１の方向はＸ軸の正方向に沿った方向であり、上記第２の方向はＹ軸の正方向に沿った方向である。
【００３８】
各画素４から射出される光は、第１の画像又は第２の画像のいずれかを構成する。第１の画像を構成する光を射出する画素４を画素Ｌ、第２の画像を構成する光を射出する画素４を画素Ｒとも呼ぶ。画素Ｌ，Ｒは、それぞれ第１の画素、第２の画素に対応する。上述した画素４ｒ，４ｇ，４ｂは、いずれも画素Ｌ又は画素Ｒのいずれか一方に該当する。また、複数の画素Ｌからなる画素群、複数の画素Ｒからなる画素群は、いずれも画素４ｒ，４ｇ，４ｂを含んでいる。画素Ｌ，Ｒは、画素行５に沿って交互に繰り返し配置されており、また画素列６に沿っては同一種が一列に並ぶようにストライプ状に配置されている。以下では、第１の画素（画素Ｌ）に対応する画素４を画素４（Ｌ）と表記し、第２の画素（画素Ｒ）に対応する画素４を画素４（Ｒ）と表記する。例えば、第１の画素に対応する青系の画素４ｂは、画素４ｂ（Ｌ）と表記する。
【００３９】
図２（ｂ）に示すように、カラーフィルタ３３は、Ｙ方向に沿ったストライプ状の色要素３２ｒ，３２ｇ，３２ｂを有している（以下では、対応する色を区別しない場合には単に「色要素３２」とも呼ぶ）。色要素３２ｒ，３２ｇ，３２ｂは、それぞれ赤系の色の光、緑系の色の光、青系の色の光を透過し、その他の色の光を吸収する部材である。色要素３２ｒは、赤系の第１の色要素に対応し、色要素３２ｇは、緑系の第１の色要素に対応し、色要素３２ｂは、青系の第１の色要素に対応する。ここで、色要素３２ｒ，３２ｇ，３２ｂが透過する光の色は、色要素４２ｒ，４２ｇ，４２ｂが透過する光の色と正確に一致している必要はなく、同系色であればよい。
【００４０】
色要素３２ｂ，３２ｇ，３２ｒは、第１の方向（すなわちＸ軸の正方向）に沿ってこの順に繰り返し配列されている。ここで、色要素３２の色の繰り返し順序は、画素４の色の繰り返し順序（すなわち色要素４２の色の繰り返し順序）とは逆になっている。また、色要素３２の画素行５方向の配置ピッチは、画素４の画素行５方向の配置ピッチの略２倍となっている。そして、正面視で、ある画素４に重なる領域に配置される色要素３２は、当該画素４とは対応する色が異なる色要素３２となっている。すなわち、正面視で画素４ｒに重なる領域には色要素３２ｇ又は色要素３２ｂが配置され、画素４ｇに重なる領域には色要素３２ｂ又は色要素３２ｒが配置され、画素４ｂに重なる領域には色要素３２ｒ又は色要素３２ｇが配置される。
【００４１】
ここで、「正面視」とは、画素４が配列された面の法線方向（すなわちカラーフィルタ基板３０の法線方向）から見ることをいう。より詳しくは、正面視とは、図１７（ａ）に示すように、液晶装置１上の各点を上記法線方向から見ること、及び図１７（ｂ）に示すように、液晶装置１上の各点を上記法線上の一点から見ること、のいずれをも含む概念である。したがって、「要素ｍと要素ｎが正面視で重なる」といった場合、図１７（ａ）の方式では、要素ｍと要素ｎをＸＹ平面に投影した際の位置が同一であることをいい、図１７（ｂ）の方式では、要素ｍを底面とし観察点を頂点とする仮想的な立体の内部に要素ｎが位置することをいう。本実施形態における「正面視」は、図１７（ｂ）の方式の正面視を指す。
【００４２】
図３は、液晶装置１を、画素４を含む位置でＸＺ平面に沿って切断したときの断面図である。図３は、図１（ｂ）の一部を拡大した図でもある。この図を用いて、液晶装置１の断面構造について説明する。
【００４３】
素子基板１０に含まれるガラス基板１１の観察側には、回路素子層１２が形成されている。回路素子層１２は、液晶５０の駆動に用いるスイッチング素子としてのＴＦＴ（Thin Film Transistor）素子、ＴＦＴ素子に駆動信号を印加するための走査線、データ線、及び容量素子等から構成される。回路素子層１２の観察側には、透光性を有するＩＴＯ（Indium Tin Oxide）からなる画素電極１４が画素４ごとに形成されている。画素電極１４は、図２（ａ）中の画素４と略同形の矩形状に形成される。画素電極１４は、回路素子層１２中のＴＦＴ素子に電気的に接続されている。画素電極１４の観察側には、ポリイミド等からなる配向膜１８が形成されている。配向膜１８は、ラビング処理されており、ラビング処理の方向に沿って液晶５０を配向させる機能を有する。ガラス基板１１から配向膜１８までの要素によって、素子基板１０が構成される。
【００４４】
カラーフィルタ基板３０に含まれるガラス基板３１の背面側には、上述の通り、カラーフィルタ３３、樹脂層３５、カラーフィルタ４３がこの順に積層されている。このうち樹脂層３５は、例えば厚さ５０ｎｍから１００ｎｍ程度のラミネートフィルムとすることができる。カラーフィルタ４３の背面側の略全面には、ＩＴＯからなる共通電極４７が形成されている。共通電極４７及び画素電極１４は、一対の電極であり、当該一対の電極の間に生じる電界によって液晶５０が駆動される。共通電極４７の背面側には、ポリイミド等からなる配向膜４８が形成されている。配向膜４８は、ラビング処理されており、ラビング処理の方向に沿って液晶５０を配向させる機能を有する。ガラス基板３１から配向膜４８までの要素によって、カラーフィルタ基板３０が構成される。
【００４５】
素子基板１０とカラーフィルタ基板３０との間、すなわち配向膜１８と配向膜４８との間には、液晶５０が配置されている。配向膜１８，４８のラビング方向は直交しており、液晶５０はＴＮモードとなっている。素子基板１０の背面側に配置された偏光板５１の透過軸は、配向膜１８のラビング方向に平行となっている。また、カラーフィルタ基板３０の観察側に配置された偏光板５３の透過軸は、配向膜４８のラビング方向に平行となっている。したがって、偏光板５１，５３の透過軸は平面視で直交している。
【００４６】
画素電極１４と共通電極４７との間にオフ電圧が印加されている場合、又は電圧非印加状態である場合には、液晶５０は９０度ツイスト配向する。このとき、偏光板５１を透過した直線偏光は、液晶５０の旋光性により偏光板５３の透過軸に平行な直線偏光に変換され、偏光板５３を透過する。これにより白表示が行われる。
【００４７】
画素電極１４と共通電極４７との間にオン電圧が印加されている場合には、液晶５０は、配向膜１８，４８に対して略垂直に配向する。このとき、偏光板５１を透過した直線偏光は、液晶５０によっては位相差を与えられずにそのまま偏光板５３に入射し、偏光板５３によって吸収される。これにより黒表示が行われる。
【００４８】
液晶装置１は、このような白表示、黒表示又はこれらの中間調表示を画素４ごとに行うことにより、その集合として表示領域９において表示を行う。
【００４９】
上述した画素４（画素Ｌ，Ｒ）は、画素電極１４、液晶５０、共通電極４７、色要素４２を有して構成される。個々の画素４が占める領域は、平面的には遮光層４６に囲まれた矩形領域（図２（ａ））であり、図３の断面図においては例えば回路素子層１２から色要素４２までを含む領域である。あるいは、画素電極１４から色要素４２までを画素４と定義してもよい。よって、画素４（画素Ｌ，Ｒ）は、ガラス基板１１，３１の間に配置されている。また、カラーフィルタ３３は、画素４（画素Ｌ，Ｒ）とガラス基板３１との間に配置されている。カラーフィルタ４３は、カラーフィルタ３３とガラス基板１１との間に配置されている。また、偏光板５１は、画素４（画素Ｌ，Ｒ）のガラス基板１１側に配置されており、偏光板５３は、画素４（画素Ｌ，Ｒ）のガラス基板３１側に配置されている。
【００５０】
画素４は、背面側から入射した光を色要素４２を介して観察側に射出する。したがって、色要素４２の観察側表面が、画素４の光射出面となる。カラーフィルタ３３は、画素４の光射出側に配置されており、画素４から射出された光は、カラーフィルタ３３に含まれるいずれかの色要素３２に入射する。
【００５１】
図４は、３色の画素４のうち画素４ｂによる指向性表示の原理を示す模式図である。この図においては、液晶装置１のうち、画素４とカラーフィルタ３３を除く要素は省略されている。
【００５２】
画素４ｂ（Ｌ）から射出された青系の色の光は、カラーフィルタ３３に入射する。このうち、色要素３２ｂに入射した光は、色要素３２ｂを透過して、第１の範囲３Ｌに射出される。第１の範囲３Ｌに射出される光の光路の範囲は、図４において２点鎖線で示されている（以下の各図においても同様）。一方、その他の色要素３２（色要素３２ｒ，３２ｇ）に入射した光は、その色要素３２によって吸収されるため、カラーフィルタ３３の観察側にはほとんど透過しない。
【００５３】
同様に、画素４ｂ（Ｒ）から射出された青系の色の光のうち、色要素３２ｂに入射した光は、色要素３２ｂを透過して、第２の範囲３Ｒに射出される。第２の範囲３Ｒに射出される光の光路の範囲は、図４において実線で示されている（以下の各図においても同様）。一方、その他の色要素３２（色要素３２ｒ，３２ｇ）に入射した光は、その色要素３２によって吸収され、カラーフィルタ３３の観察側にはほとんど透過しない。
【００５４】
このように、画素４ｂから射出された青系の色の光に対しては、色要素３２ｒ，３２ｇは遮光部材として機能するため、射出光の進行する範囲が制限される。そして、色要素３２ｂから見て、画素４ｂ（Ｌ）及び画素４ｂ（Ｒ）の位置が互いに異なるため、画素４ｂ（Ｌ）、画素４ｂ（Ｒ）から色要素３２ｂを透過して射出される光の進行方向は互いに異なる。すなわち、画素４ｂ（Ｌ）からの光は第１の範囲３Ｌに射出され、画素４ｂ（Ｒ）からの光は、第１の範囲３Ｌとは異なる範囲を含む第２の範囲３Ｒに射出される。こうして、画素４ｂ（Ｌ）、画素４ｂ（Ｒ）とカラーフィルタ３３との組み合わせによる指向性表示が行われる。
【００５５】
別の観点では、青系の色要素３２ｂは、画素４ｂ（Ｌ）から第１の範囲３Ｌに射出される光と、画素４ｂ（Ｒ）から第２の範囲３Ｒに射出される光とがいずれも通過する領域の少なくとも一部に配置されている。すなわち、画素４ｂ（Ｌ）、画素４ｂ（Ｒ）からの光が到達すべき第１の範囲３Ｌ、第２の範囲３Ｒをあらかじめ設定した上で、上記の条件を満たす領域に色要素３２ｂを配置することにより、所望の指向性表示を実現することができる。
【００５６】
以上、画素４ｂによる指向性表示の原理を説明したが、画素４ｇ、画素４ｒによる指向性表示の原理もこれと同様である。図５は、画素４ｇによる指向性表示の原理を示す模式図である。画素４ｇから射出された緑系の色の光に対しては、色要素３２ｂ，３２ｒは遮光部材として機能するため、画素４ｇから射出された光は色要素３２ｇのみを透過する。このように光の進行する範囲が制限される結果、画素４ｇ（Ｌ）からの光は第１の範囲３Ｌに射出され、画素４ｇ（Ｒ）からの光は、第１の範囲３Ｌとは異なる範囲を含む第２の範囲３Ｒに射出される。こうして、画素４ｇ（Ｌ）、画素４ｇ（Ｒ）とカラーフィルタ３３との組み合わせによる指向性表示が行われる。
【００５７】
別の観点では、緑系の色要素３２ｇは、画素４ｇ（Ｌ）から第１の範囲３Ｌに射出される光と、画素４ｇ（Ｒ）から第２の範囲３Ｒに射出される光とがいずれも通過する領域の少なくとも一部に配置されている。すなわち、画素４ｇ（Ｌ）、画素４ｇ（Ｒ）からの光が到達すべき第１の範囲３Ｌ、第２の範囲３Ｒをあらかじめ設定した上で、上記の条件を満たす領域に色要素３２ｇを配置することにより、所望の指向性表示を実現することができる。
【００５８】
図６は、画素４ｒによる指向性表示の原理を示す模式図である。画素４ｒから射出された赤系の色の光に対しては、色要素３２ｇ，３２ｂは遮光部材として機能するため、画素４ｒから射出された光は色要素３２ｒのみを透過する。このように光の進行する範囲が制限される結果、画素４ｒ（Ｌ）からの光は第１の範囲３Ｌに射出され、画素４ｒ（Ｒ）からの光は、第１の範囲３Ｌとは異なる範囲を含む第２の範囲３Ｒに射出される。こうして、画素４ｒ（Ｌ）、画素４ｒ（Ｒ）とカラーフィルタ３３との組み合わせによる指向性表示が行われる。
【００５９】
別の観点では、赤系の色要素３２ｒは、画素４ｒ（Ｌ）から第１の範囲３Ｌに射出される光と、画素４ｒ（Ｒ）から第２の範囲３Ｒに射出される光とがいずれも通過する領域の少なくとも一部に配置されている。すなわち、画素４ｒ（Ｌ）、画素４ｒ（Ｒ）からの光が到達すべき第１の範囲３Ｌ、第２の範囲３Ｒをあらかじめ設定した上で、上記の条件を満たす領域に色要素３２ｒを配置することにより、所望の指向性表示を実現することができる。
【００６０】
このように、画素４ｒ，４ｇ，４ｂからの光が指向性を有して射出される結果、液晶装置１は、第１の画像を構成する光を第１の範囲３Ｌに射出し、第２の画像を構成する光を、第１の範囲３Ｌとは異なる範囲を含む第２の範囲３Ｒに射出する。すなわち、第１の画像と第２の画像とを互いに異なる方向に表示することができる。ここで、第１の画像及び第２の画像は、いずれもカラー画像とすることができる。また、画素４ｒ，４ｇ，４ｂからの光は、それぞれ色要素３２ｒ，３２ｇ，３２ｂを透過して液晶装置１から射出されるため、画素４から色要素３２を経ずに直接光を取り出す場合と比較して色純度を高めることができる。
【００６１】
図７は、３色の画素４から射出される光のうち表示に寄与する光の代表的な光路を示す模式図である。図７における視点ＶＬは、図４から図６における第１の範囲３Ｌの略中心に位置する点であり、視点ＶＲは、第２の範囲３Ｒの略中心に位置する点である。この図によれば、視点ＶＬからは画素４ｒ（Ｌ），４ｇ（Ｌ），４ｂ（Ｌ）による表示が視認され、視点ＶＲからは画素４ｒ（Ｒ），４ｇ（Ｒ），４ｂ（Ｒ）による表示が視認されることがわかる。視点ＶＬ，ＶＲに異なる人物を位置させれば、これらの人物に異なる画像を視認させることができる。また、視点ＶＬと視点ＶＲとの間の距離を小さくし、それぞれの視点に左目及び右目が位置するように構成すれば、立体画像を視認させることができる。ここで、視点ＶＬと視点ＶＲとの間の距離を小さくするためには、画素４とカラーフィルタ３３とのＺ方向の距離を大きくすればよい。画素４とカラーフィルタ３３との距離を調整するためには、例えば、樹脂層３５の厚さを変更すればよい。
【００６２】
なお、図７において、視点ＶＬ，ＶＲの中間に位置する視点ＶＣは、上述した「正面視」の際の視点に相当する。視点ＶＣから見た場合（正面視）には、上述のとおり、ある画素４に重なる領域に配置される色要素３２は、その画素４とは対応する色が異なる色要素３２となっている。すなわち、視点ＶＣと画素４とを結ぶ線分上には、当該画素４とは異なる色の色要素３２が位置している。これにより、視点ＶＣでは画素Ｌ，Ｒのいずれによる表示も視認しにくくなっており、観察位置を視点ＶＬ又は視点ＶＲに近付けることによって、画素Ｌ又は画素Ｒによる指向性表示を視認することができる。正面視で上記の条件を満たす構成となるようにするため、色要素３２のＸ方向の配置ピッチは、画素４の配置ピッチの２倍より小さくなっている。
【００６３】
図７では、説明の便宜上、カラーフィルタ３３の近傍に視点ＶＬ，ＶＲを設定して描いている。しかしながら、実際には視点ＶＬ，ＶＲとカラーフィルタ３３との距離は、色要素３２の配置ピッチに対して例えば１０００倍以上となり、かなり大きくなる。したがって、画素４及びカラーフィルタ３３を微視的に観察した場合には、図８に示すように、画素４から射出される光のうち表示に寄与する光の代表的な光路は、互いに略平行となる。
【００６４】
図８においては、正面視の際の視点の位置（図７における視点ＶＣ）は、カラーフィルタ３３に対して無限遠方に近似される。よって、この図では、Ｚ軸正方向から見た平面視での構成要素の相対的な位置関係が、そのまま正面視での各構成要素の相対的な位置関係となる。この図からわかるように、正面視で赤系の色要素３２ｒに対してＸ方向に隣り合う領域の一方には画素４ｒ（Ｌ）が配置され、他方には画素４ｒ（Ｒ）が配置されている。画素４ｒ（Ｌ）から色要素３２ｒに向かって斜めに（第１の範囲３Ｌに）射出された光が、色要素３２ｒを透過して第１の画像を構成する。また、画素４ｒ（Ｒ）から色要素３２ｒに向かって斜めに（第２の範囲３Ｒに）射出された光が、色要素３２ｒを透過して第２の画像を構成する。画素４ｒ（Ｌ），４ｒ（Ｒ）から色要素３２ｒに向かう斜めの方向はそれぞれ異なるため、第１の範囲３Ｌと第２の範囲３Ｒとは互いに異なる範囲を含むこととなり、指向性表示が行われる。また、この図から、色要素３２のＸ方向の配置ピッチが、画素４のＸ方向の配置ピッチの略２倍となっていることがわかる。また、正面視で、ある画素４に重なる領域には、当該画素４とは異なる色の色要素３２が位置していることがわかる。
【００６５】
以上に説明したように、本実施形態の液晶装置１によれば、第１の画像と第２の画像とを異なる範囲に指向性表示することができる。その際、図４から図６において説明したように、カラーフィルタ３３が指向性表示のためのマスクとして機能するため、液晶装置１は、指向性表示を行うために別の遮光性の光学素子（マスク）を必要としない。このため、より少ない構成要素により指向性表示が可能な液晶装置１を構成することができる。また、マスクとして機能するカラーフィルタ３３は、ガラス基板１１とガラス基板３１との間に形成されているため、別途、マスクが形成された基板をガラス基板３１の外側に貼り合わせる必要がない。これにより、液晶装置１の厚さを低減させることができる。
【００６６】
このような構成の液晶装置１は、例えばガラス基板３１上にカラーフィルタ３３，４３を形成してカラーフィルタ基板３０を製造した後は、従来の液晶装置と同様に、素子基板１０とカラーフィルタ基板３０とを貼り合わせる工程によって製造することができる。すなわち、基板貼り合わせ後に指向性表示のためのマスクを付加するための追加の工程が不要となる。ここで、従来の液晶装置とは、カラーフィルタ基板３０に１層のカラーフィルタを備える液晶装置を指す。
【００６７】
また、カラーフィルタ３３，４３は、いずれもガラス基板１１とガラス基板３１との間に配置されており、カラーフィルタ３３とカラーフィルタ４３との間にはガラス基板が存在しない。このため、カラーフィルタ３３とカラーフィルタ４３との間隔を容易に小さくすることができる。すなわち、画素４からの光に指向性を与えるマスクとして機能するカラーフィルタ３３と、画素４との間隔を小さくするためにガラス基板をエッチングする必要がなく、上記間隔を容易に小さくすることができる。これにより、第１の画像を構成する光が射出される第１の範囲３Ｌと、第２の画像を構成する光が射出される第２の範囲３Ｒとを大きく異ならせることができる。カラーフィルタ３３とカラーフィルタ４３との間隔は、例えば樹脂層３５の厚さを変更することで容易に調整することができる。
【００６８】
また、第１の画像、第２の画像を構成する光は、いずれもカラーフィルタ３３の色要素３２を透過しているため、画素４から直接取り出される光と比較して色純度が高い。このため、液晶装置１は、色再現性の高い、高品位な表示を行うことができる。
【００６９】
（第２の実施形態）
続いて、第２の実施形態について説明する。第２の実施形態の液晶装置１は、画素Ｌ，Ｒの配置と色要素３２，４２の配置が第１の実施形態と異なっており、その他の点は第１の実施形態と同様である。
【００７０】
図９は、第２の実施形態に係る液晶装置１の平面図であり、（ａ）は、カラーフィルタ４３の構成を抜き出して示す平面図、（ｂ）は、カラーフィルタ３３の構成を抜き出して示す平面図である。
【００７１】
図９（ａ）に示すように、本実施形態では、画素Ｌ，Ｒが、画素行５方向（Ｘ方向）について交互に配列されているとともに、画素行５と交差する第２の方向（Ｙ方向）についても交互に配列されている。したがって、画素Ｌ，Ｒは、Ｙ方向に沿って交互に配列されて画素列６を構成している。よって、画素Ｌ，Ｒは、それぞれ市松模様をなすように、チェック状に、又はモザイク状に配置されている。
【００７２】
また、色要素３２と画素Ｌ，Ｒとの位置関係は第１の実施形態と同様であり、例えば正面視で赤系の色要素３２ｒに対してＸ軸の正方向に隣り合う領域には画素４ｒ（Ｌ）が配置され、負方向に隣り合う領域には画素４ｒ（Ｒ）が配置されるようになっている。緑系の色要素３２ｇ、青系の色要素３２ｂについても同様である。ここで、画素Ｌ，Ｒが上記のような市松模様の配置となるため、カラーフィルタ基板３０の色要素３２は、配置図９（ｂ）に示すようにデルタ配列となる。より詳しくは、色要素３２のいずれの行（Ｘ方向に沿った色要素３２の配列）においても、Ｘ軸の正方向に沿って色要素３２ｂ，３２ｇ，３２ｒが繰り返し配列されており、また隣り合う行の間で、色要素３２の繰り返し最小単位の配置ピッチが半ピッチずつずれている。ここで、色要素３２の繰り返し最小単位とは、隣り合う３つの色要素３２ｂ，３２ｇ，３２ｒからなるブロックをいう。換言すれば、同一の色の色要素３２は、隣り合う行では色要素３２の幅の１．５倍だけＸ方向にずれて配置されている。また、各色要素３２のＸ方向の幅は、画素４のＸ方向の幅の略２倍である。
【００７３】
このような配置によれば、色要素３２のそれぞれは、当該色要素３２と同系の色の画素Ｌから第１の範囲３Ｌに射出される光と、上記同系の色の画素Ｒから第２の範囲３Ｒに射出される光とがいずれも通過する領域の少なくとも一部に配置される。また、正面視で、ある画素４に重なる領域には、その画素４とは対応する色が異なる色要素３２が配置される。したがって、第１の実施形態と同様の原理により指向性表示を行うことができる。
【００７４】
図１０（ａ），（ｂ）は、図９（ａ），（ｂ）中のＢ−Ｂ線、Ｃ−Ｃ線の位置における各画素４からの光路を示す模式図である。この図に示すように、画素行５ごとに画素Ｌ，Ｒの位置が反転するが、結果として図１０（ａ），（ｂ）いずれも、視点ＶＬにおいては画素Ｌによる第１の画像が視認され、視点ＶＲにおいては画素Ｒによる第２の画像が視認される。
【００７５】
図９（ａ）のように画素Ｌ，Ｒを市松模様をなすように配置することにより、画素Ｌ，Ｒがストライプ状に配置されている場合（図２（ａ））と比較して、第１の画像及び第２の画像の解像度を向上させることができる。これは、対応する色及び表示する画像について同一の作用をもつ２つの画素４の最小相対距離（例えばある画素４ｒ（Ｌ）と、これに最も近い画素４ｒ（Ｌ）との距離）が近くなるためである。
【００７６】
（第３の実施形態）
続いて、第３の実施形態について説明する。第３の実施形態は、電気光学装置としての有機ＥＬ装置２に関するものである。以下の説明においては、第１の実施形態に係る液晶装置１との相違点について記載する。その他の点については、第１の実施形態と同様である。
【００７７】
図１１は、第３の実施形態に係る電気光学装置としての有機ＥＬ装置２の構成を示す図であり、（ａ）は斜視図、（ｂ）は（ａ）中のＤ−Ｄ線における断面図である。有機ＥＬ装置２は、素子基板２０と、素子基板２０の観察側に対向して配置されたカラーフィルタ基板３０とを有している。素子基板２０は、カラーフィルタ基板３０より大きく、一部がカラーフィルタ基板３０に対して張り出している。素子基板２０のうち、カラーフィルタ基板３０に対して張り出している部分の観察側の面には、有機ＥＬ装置２を動作させるための駆動信号等を供給するドライバＩＣ５５が実装されている。有機ＥＬ装置２は、素子基板２０に含まれる発光素子２８（図１１（ｂ））からの光によって、表示領域９において表示を行う。
【００７８】
図１１（ｂ）に示すように、カラーフィルタ基板３０は、カラーフィルタ基板３０の輪郭形状に略一致する枠状に配置されたシール剤２９、及び接着層３４を介して、素子基板２０の観察側に貼り合わされている。シール剤２９には、素子基板２０とカラーフィルタ基板３０との間隔を一定に保つためのスペーサが含まれていてもよい。また、接着層３４のみ、又はシール剤２９のみによって素子基板２０とカラーフィルタ基板３０とを貼り合せてもよい。
【００７９】
素子基板２０は、第１の基板としてのガラス基板２１を基体として構成されている。ガラス基板２１の観察側には、複数の発光素子２８等が形成されている。発光素子２８は、カラーフィルタ基板３０、シール剤２９、接着層３４によって密閉封止されている。
【００８０】
カラーフィルタ基板３０は、第２の基板としてのガラス基板３１を基体として構成されている。ガラス基板３１の背面側には、第１のカラーフィルタとしてのカラーフィルタ３３が形成されている。
【００８１】
図１２（ａ）は、表示領域９における素子基板２０の平面図であり、図１２（ｂ）は、表示領域９におけるカラーフィルタ３３の構成を抜き出して示す平面図である。図１２（ａ），（ｂ）は、観察側から見て重なる同一の領域を切り出して示したものであり、有機ＥＬ装置２は、図１２（ａ）の素子基板２０に、図１２（ｂ）のカラーフィルタ３３を有するカラーフィルタ基板３０が重ねられた構成を有している。
【００８２】
図１２（ａ）に示すように、素子基板２０は、複数の行及び複数の列にわたってマトリクス状に配置された矩形の画素４ｒ，４ｇ，４ｂを有している。画素４ｒ，４ｇ，４ｂは、いずれも発光素子２８（図１１（ｂ））を備えている。画素４ｒ，４ｇ，４ｂは、発光素子２８の機能により、それぞれ赤系の色、緑系の色、青系の色の発光を行う。画素４ｒ，４ｇ，４ｂは、それぞれ赤系画素、緑系画素、青系画素に対応する。画素４ｒ，４ｇ，４ｂの配置は、第１の実施形態と同様である。
【００８３】
各画素４は、第１の画像を構成する光を射出する画素Ｌ、第２の画像を構成する光を射出する画素Ｒのいずれか一方に該当する。画素Ｌ，Ｒの配置は、第１の実施形態と同様である。
【００８４】
図１２（ｂ）に示すように、色要素３２ｒ，３２ｇ，３２ｂを備えたカラーフィルタ３３の構成は、第１の実施形態と同様である。したがって、正面視で、ある画素４に重なる領域に配置される色要素３２は、当該画素４とは対応する色が異なる色要素３２となっている。
【００８５】
図１３は、有機ＥＬ装置２を、画素４を含む位置でＸＺ平面に沿って切断したときの断面図である。図１３は、図１１（ｂ）の一部を拡大した図でもある。この図を用いて、素子基板２０に形成された発光素子２８の構成について説明する。
【００８６】
素子基板２０に含まれるガラス基板２１の観察側には、回路素子層２２が形成されている。回路素子層２２は、発光素子２８を駆動させるためのＴＦＴ素子、ＴＦＴ素子に駆動信号を印加するための走査線、データ線、及び容量素子等から構成される。回路素子層２２の観察側には、透光性を有するＩＴＯからなる、陽極としての画素電極２４が形成されている。画素電極２４は、図１２（ａ）中の画素４と略同形の矩形状に形成される。画素電極２４の背面側には、図示しない反射膜が形成されている。画素電極２４の周囲には、樹脂等からなるバンク２３が形成されている。バンク２３は、図１２（ａ）において画素４を区画している格子状の領域に形成される。バンク２３と画素電極２４との間には、無機物質からなる第２のバンクがさらに形成されていてもよい。画素電極２４とバンク２３によって、画素電極２４を底部とし、バンク２３を側壁とする凹部が構成される。
【００８７】
バンク２３によって区画された上記凹部には、発光層２５が形成されている。画素４ｒ，４ｇ，４ｂには、それぞれ赤系、緑系、青系の色の光を発する発光層２５が形成される。発光層２５は、有機発光層を含んで構成される。発光層２５には、有機発光層の他に、正孔輸送層、正孔注入層、電子輸送層、電子注入層等の各種機能層がさらに含まれていてもよい。発光層２５及びバンク２３の観察側の略全面には、ＭｇＡｇ等の金属からなる陰極２６が形成されている。陰極２６は、金属を薄く形成することによってハーフミラー状となっている。陰極２６の観察側には、樹脂等からなる封止層２７が形成されている。封止層２７によって、発光層２５に水分やガス等の異物が浸入することによる不具合を抑制することができる。封止層２７は、接着層３４が同様の機能を果たす場合等においては省略することができる。
【００８８】
陰極２６及び画素電極２４は、一対の電極に対応する。陰極２６と画素電極２４との間に駆動電圧が印加されると、発光層２５に駆動電流が流れる。発光層２５は、当該駆動電流の大きさに応じた輝度の発光を行う。発光層２５から観察側に進行した光は、陰極２６を透過して有機ＥＬ装置２の表示に寄与する。また、発光層２５から背面側に進行した光、及び陰極２６によって背面側に反射された光は、画素電極２４の背面の反射膜によって反射され、その後観察側に進行して有機ＥＬ装置２の表示に寄与する。このように、発光層２５からの光は、いずれもガラス基板２１とは反対側（観察側）に射出される。このような構成は、トップエミッション型と呼ばれる。
【００８９】
発光素子２８は、画素電極２４、発光層２５、陰極２６を含む要素によって構成される。上述した画素４（画素Ｌ，Ｒ）は、発光素子２８を有して構成される。個々の画素４が占める領域は、平面的にはバンク２３に囲まれた矩形領域（図１２（ａ））であり、図１３の断面図においては例えば回路素子層２２から陰極２６までを含む領域である。あるいは、画素電極２４から陰極２６までを画素４と定義してもよい。画素４は、発光素子２８から発光された光を観察側に射出する。カラーフィルタ３３は、画素４の光射出側に配置されており、画素４から射出された光は、カラーフィルタ３３に含まれるいずれかの色要素３２に入射する。
【００９０】
画素４から射出された赤系、緑系、又は青系の色の光に対しては、色要素３２の一部が遮光部材として働き、これにより有機ＥＬ装置２は指向性表示を行うことができる。有機ＥＬ装置２における、画素４ｒ，４ｇ，４ｂ及びカラーフィルタ３３の作用による指向性表示の原理は、第１の実施形態（図４から図８）と同様であるので説明は省略する。
【００９１】
このように、本実施形態の有機ＥＬ装置２によれば、第１の画像と第２の画像とを異なる範囲に指向性表示することができる。その際、カラーフィルタ３３が指向性表示のためのマスクとして機能するため、有機ＥＬ装置２は、指向性表示を行うために別の遮光性の光学素子（マスク）を必要としない。このため、より少ない構成要素により指向性表示が可能な有機ＥＬ装置２を構成することができる。また、マスクとして機能するカラーフィルタ３３は、ガラス基板２１とガラス基板３１との間に形成されているため、別途、マスクが形成された基板をガラス基板３１の外側に貼り合わせる必要がない。これにより、有機ＥＬ装置２の厚さを低減させることができる。
【００９２】
このような構成の有機ＥＬ装置２は、例えばガラス基板３１上にカラーフィルタ３３を形成してカラーフィルタ基板３０を製造した後は、カラーフィルタ基板３０を封止基板とみなして使用する製造工程によって製造することができる。すなわち、従来の有機ＥＬ装置と同様に、素子基板２０に対して、封止基板としてのカラーフィルタ基板３０を貼り合わせて封止を行う工程によって有機ＥＬ装置２を製造することができる。よって、封止後に指向性表示のためのマスクを付加するための追加の工程が不要となる。
【００９３】
また、カラーフィルタ３３は、ガラス基板２１とガラス基板３１との間に配置されており、カラーフィルタ３３と画素４との間にはガラス基板が存在しない。このため、カラーフィルタ３３と画素４との間隔を容易に小さくすることができる。これにより、第１の画像を構成する光が射出される第１の範囲３Ｌと、第２の画像を構成する光が射出される第２の範囲３Ｒとを大きく異ならせることができる。カラーフィルタ３３と画素４との間隔は、例えばシール剤２９の高さ若しくはシール剤２９に含まれるスペーサの大きさ、又は接着層３４の厚さを変更することで容易に調整することができる。
【００９４】
また、第１の画像、第２の画像を構成する光は、いずれもカラーフィルタ３３の色要素３２を透過しているため、画素４（発光素子２８）から直接取り出される光と比較して色純度が高い。このため、有機ＥＬ装置２は、色再現性の高い、高品位な表示を行うことができる。
【００９５】
なお、第３の実施形態は、第２の実施形態と組み合わせてもよい。すなわち、画素Ｌ，Ｒをそれぞれ図９（ａ）に示すように市松模様をなすように配置し、色要素３２を図９（ｂ）に示すようにデルタ配列をなすように配置してもよい。こうした構成によれば、有機ＥＬ装置２による表示の解像度の低下を抑制することができる。
【００９６】
（電子機器）
上述した液晶装置１、有機ＥＬ装置２は、例えば、図１８に示すような電子機器としてのカーナビゲーションシステム用の表示装置１００に搭載して用いることができる。この表示装置１００は、表示部１１０に組み込まれた液晶装置１又は有機ＥＬ装置２によって、２つの画像を異なる範囲に指向性表示することができる。例えば、運転席側に地図の画像を表示するとともに、助手席側に映画の画像を表示することができる。その際、色再現性の高い、高品位な表示を行うことができる。また、表示装置１００は、簡素な構成で指向性表示を行うことができる。
【００９７】
なお、液晶装置１、有機ＥＬ装置２は、上記表示装置１００の他、モバイルコンピュータ、デジタルカメラ、デジタルビデオカメラ、車載機器、オーディオ機器等の各種電子機器に用いることができる。
【００９８】
上記実施形態に対しては、様々な変形を加えることが可能である。変形例としては、例えば以下のようなものが考えられる。
【００９９】
（変形例１）
第３の実施形態に係る有機ＥＬ装置２は、画素４ｒ，４ｇ，４ｂに、それぞれ赤系、緑系、青系の色の発光を行う発光層２５が形成されているが、これに代えて、すべての画素４に同一の色（例えば白色）の発光を行う発光層２５が形成されていてもよい。図１４は、本変形例に係る有機ＥＬ装置２のＸＺ平面に沿った断面図であり、図１５は、図１４の拡大図である。
【０１００】
図１４に示すように、カラーフィルタ基板３０は、ガラス基板３１を基体とし、ガラス基板３１の背面に、カラーフィルタ３３、ラミネートフィルム等からなる透光性を有する樹脂層３５、第２のカラーフィルタとしてのカラーフィルタ４３がこの順に積層された構成を有している。カラーフィルタ３３、カラーフィルタ４３の平面的な配置は、第１の実施形態と同様であり、図２（ａ），（ｂ）に示されている。本変形例のカラーフィルタ基板３０は、第１の実施形態に係るカラーフィルタ基板３０（図３）から共通電極４７及び配向膜４８を除いた構成を有しているとも言える。
【０１０１】
図１５に示すように、カラーフィルタ４３は、色要素４２ｒ，４２ｇ，４２ｂを有している。また、画素４ｒ，４ｇ，４ｂは、それぞれ色要素４２ｒ，４２ｇ，４２ｂを含んで構成されている。各画素４において、発光層２５から射出された白色の光は、色要素４２を透過することで、色要素４２の色に応じた色の光となって画素４から射出される。したがって、色要素４２の観察側表面が、実質的に画素４の光射出面となる。このような構成によっても、第３の実施形態と同様に、簡素な構成で指向性表示が可能な有機ＥＬ装置２が得られる。なお、発光層２５は、バンク２３によって区画されていない構成であってもよく、例えばバンク２３を覆うように、有機ＥＬ装置２の略全体にわたって一繋がりに形成されていてもよい。また、白色の発光を行う発光層２５は、水色の発光を行う発光層と黄色の発光を行う発光層とを積層した構成であってもよい。こうした構成の発光層２５によれば、長寿命の発光素子２８が得られる。
【０１０２】
（変形例２）
第３の実施形態の有機ＥＬ装置２は、トップエミッション型を採用したものであるが、これに代えてボトムエミッション型の構成としてもよい。図１６（ａ），（ｂ）は、ボトムエミッション型を採用した場合の有機ＥＬ装置２のＸＺ平面に沿った断面図である。
【０１０３】
このうち図１６（ａ）に示す有機ＥＬ装置２は、素子基板２０と、素子基板２０の背面側にシール剤２９を介して貼り合わされた封止基板６０と、素子基板２０の観察側に接着層３４を介して貼り合わされたカラーフィルタ基板３０とを有している。素子基板２０は、ガラス基板２１と、ガラス基板２１の背面側に形成された複数の発光素子２８とを有している。発光素子２８は、図１３に示した発光素子２８をＺ軸の方向について逆にした構成を有しており、このうち陰極２６は、反射膜として機能する厚さに形成されている。発光素子２８の発光層２５から発光された光は、陰極２６によって観察側に反射される。発光素子２８は、封止基板６０及びシール剤２９によって封止されている。図１６（ａ）の構成においては、封止基板６０が第１の基板に対応し、カラーフィルタ基板３０のガラス基板３１が第２の基板に対応する。こうした構成によっても、第３の実施形態と同様に、カラーフィルタ３３を指向性表示のためのマスクとして機能させることができる。よって、指向性表示が可能なボトムエミッション型の有機ＥＬ装置２が得られる。
【０１０４】
また、図１６（ｂ）に示す有機ＥＬ装置２は、図１６（ａ）の構成と上記変形例１の構成とを組み合わせたものである。図１６（ｂ）においては、カラーフィルタ基板３０は、ガラス基板３１を基体とし、ガラス基板３１の背面に、カラーフィルタ３３、ラミネートフィルム等からなる透光性を有する樹脂層３５、カラーフィルタ４３がこの順に積層された構成を有している。また、素子基板２０の発光素子２８に含まれる発光層２５は、全ての画素４において同一の色（例えば白色）の発光を行う。こうした構成によれば、変形例１と同様の作用により指向性表示が可能なボトムエミッション型の有機ＥＬ装置２が得られる。
【０１０５】
（変形例３）
赤系の色は、純粋な赤の色相に限定されず、橙等を含む。緑系の色は、純粋な緑の色相に限定されず、青緑や黄緑を含む。青系の色は、純粋な青の色相に限定されず、青紫や青緑等を含む。他の観点から、赤系の色の光は、光の波長のピークが、可視光領域で５７０ｎｍ以上の範囲にある光であると定義され得る。緑系の色の光は、光の波長のピークが５００ｎｍ〜５６５ｎｍの範囲にある光であると定義され得る。青系の色の光は、光の波長のピークが４１５ｎｍ〜４９５ｎｍの範囲にある光であると定義され得る。同様に、赤系の色要素３２ｒは、透過光の波長のピークが、可視光領域で５７０ｎｍ以上の範囲にある色要素であると定義され得る。緑系の色要素３２ｇは、透過光の波長のピークが５００ｎｍ〜５６５ｎｍの範囲にある色要素であると定義され得る。青系の色要素３２ｂは、透過光の波長のピークが４１５ｎｍ〜４９５ｎｍの範囲にある色要素であると定義され得る。
【０１０６】
（変形例４）
上記各実施形態における「正面視」は、図１７（ｂ）に示すように、液晶装置１又は有機ＥＬ装置２上の各点をカラーフィルタ基板３０の法線上のある一点から見ることであるが、これに代えて図１７（ａ）に示す方式の正面視として液晶装置１、有機ＥＬ装置２の各要素を構成してもよい。この場合には、例えば色要素３２のＸ方向の配置ピッチは、画素４の配置ピッチの２倍に等しくなる。
【０１０７】
（変形例５）
第１、第２の実施形態において、偏光板５１，５３は、それぞれガラス基板１１の背面側、ガラス基板３１の観察側に配置されているが、これに限定する趣旨ではない。偏光板５１は、画素４（画素Ｌ，Ｒ）のガラス基板１１側に配置されていればよく、例えばガラス基板１１の観察側に形成されていてもよい。また、偏光板５３は、画素４（画素Ｌ，Ｒ）のガラス基板３１側に配置されていればよく、例えばガラス基板３１の背面側に形成されていてもよい。すなわち、偏光板５１，５３は、一対のガラス基板１１，３１の内面（対向面）側に形成されていてもよい。
【０１０８】
（変形例６）
上記実施形態の液晶装置１は、ＴＮモードの液晶５０を有しているが、液晶モードはこれに限定されず、例えばＶＡ（Vertical Alignment：垂直配向）、ＦＦＳ（Fringe Field Switching）、ＩＰＳ（In Plain Switching）、ＳＴＮ（Super Twisted Nematic）等、種々のモードを採用することができる。
【０１０９】
（変形例７）
上記実施形態では、電気光学装置として液晶装置１、有機ＥＬ装置２を用いた例を説明したが、これに限定する趣旨ではなく、例えばＰＤＰ（Plasma Display Panel）、ＳＥＤ（Surface-conduction Electron-emitter Display）、ＦＥＤ（Field Emission Display）等の一対の基板内に画素を有する種々の電気光学装置に適用することができる。
【０１１０】
（変形例８）
上記実施形態では、画素４、色要素３２、色要素４２は、赤、緑、青の３色に対応するが、これに限定する趣旨ではなく、４色以上の画素４、色要素３２、色要素４２を備える構成としてもよい。４色の構成を採用した場合には、画素４、色要素３２、色要素４２は、例えば赤、緑、青の３色と、シアン、マジェンタ、白から選ばれる１色とからなる４色に対応する構成とすることができる。あるいは、波長に応じて色相が変化する可視光領域（３８０−７８０ｎｍ）のうち、青系の色、赤系の色、及び青から黄までの色相の中で選択された２種の色、とすることができる。ここで系と用いているが、例えば青系であれば純粋の青の色相に限定されるものでなく、青紫や青緑等を含むものである。赤系の色相であれば、赤に限定されるものでなく橙を含む。上記４色の構成とする場合には、このうちの３色が、第１の色、第２の色、第３の色に対応し、これらの色の光を射出する画素４がそれぞれ第１色画素、第２色画素、第３色画素に対応する。
【図面の簡単な説明】
【０１１１】
【図１】第１の実施形態に係る電気光学装置としての液晶装置の構成を示す図であり、（ａ）は斜視図、（ｂ）は（ａ）中のＡ−Ａ線における断面図。
【図２】表示領域における液晶装置の平面図であり、（ａ）は、カラーフィルタ４３の構成を抜き出して示す平面図、（ｂ）は、カラーフィルタ３３の構成を抜き出して示す平面図。
【図３】液晶装置を、画素を含む位置でＸＺ平面に沿って切断したときの断面図。
【図４】青系画素による指向性表示の原理を示す模式図。
【図５】緑系画素による指向性表示の原理を示す模式図。
【図６】赤系画素による指向性表示の原理を示す模式図。
【図７】３色の画素から射出される光のうち表示に寄与する光の代表的な光路を示す模式図。
【図８】画素及びカラーフィルタを微視的に観察した場合の光の代表的な光路を示す模式図。
【図９】第２の実施形態に係る液晶装置の平面図であり、（ａ）は、カラーフィルタ４３の構成を抜き出して示す平面図、（ｂ）は、カラーフィルタ３３の構成を抜き出して示す平面図。
【図１０】（ａ），（ｂ）は、図９（ａ）中のＢ−Ｂ線、Ｃ−Ｃ線の位置における各画素からの光路を示す模式図。
【図１１】第３の実施形態に係る電気光学装置としての有機ＥＬ装置の構成を示す図であり、（ａ）は斜視図、（ｂ）は（ａ）中のＤ−Ｄ線における断面図。
【図１２】（ａ）は、表示領域における素子基板の平面図であり、（ｂ）は、表示領域におけるカラーフィルタ３３の構成を抜き出して示す平面図。
【図１３】有機ＥＬ装置を、画素を含む位置でＸＺ平面に沿って切断したときの断面図。
【図１４】変形例１に係る有機ＥＬ装置のＸＺ平面に沿った断面図。
【図１５】図１４の拡大図。
【図１６】（ａ），（ｂ）は、ボトムエミッション型を採用した場合の有機ＥＬ装置のＸＺ平面に沿った断面図。
【図１７】（ａ），（ｂ）は、正面視について説明するための模式図。
【図１８】電子機器としての表示装置の斜視図。
【符号の説明】
【０１１２】
１…電気光学装置としての液晶装置、２…電気光学装置としての有機ＥＬ装置、３Ｌ…第１の範囲、３Ｒ…第２の範囲、４，４ｒ，４ｇ，４ｂ…画素、５…画素行、６…画素列、９…表示領域、１０，２０…素子基板、１１，２１…第１の基板としてのガラス基板、１２，２２…回路素子層、１４…画素電極、１８，４８…配向膜、２３…バンク、２４…画素電極、２５…発光層、２６…陰極、２７…封止層、２８…発光素子、２９…シール剤、３０…カラーフィルタ基板、３１…第２の基板としてのガラス基板、３２，３２ｒ，３２ｇ，３２ｂ…第１の色要素、３３…第１のカラーフィルタ、３４…接着層、３５…樹脂層、４２，４２ｒ，４２ｇ，４２ｂ…第２の色要素、４３…第２のカラーフィルタ、４６…遮光層、４７…共通電極、５０…液晶、５１…第１の偏光板、５３…第２の偏光板、５５…ドライバＩＣ、６０…封止基板、１００…電子機器としての表示装置、１１０…表示部、Ｌ…第１の画素、Ｒ…第２の画素。
【図１】
0005154183.tif 000002
【図２】
0005154183.tif 000003
【図３】
0005154183.tif 000004
【図４】
0005154183.tif 000005
【図５】
0005154183.tif 000006
【図６】
0005154183.tif 000007
【図７】
0005154183.tif 000008
【図８】
0005154183.tif 000009
【図９】
0005154183.tif 000010
【図１０】
0005154183.tif 000011
【図１１】
0005154183.tif 000012
【図１２】
0005154183.tif 000013
【図１３】
0005154183.tif 000014
【図１４】
0005154183.tif 000015
【図１５】
0005154183.tif 000016
【図１６】
0005154183.tif 000017
【図１７】
0005154183.tif 000018
【図１８】
0005154183.tif 000019